(57)【要約】【課題】  階段の踏板から蹴込板にかけて取付けるＬ型階段用巾木のていきょう。【解決手段】  踏板上面に配置される横巾木１３の先端部と、踏板１１から起立して蹴込板１２に面して配置される縦巾木１４の先端部を段鼻役物１を介して繋ぎ、該段鼻役物１はコーナーに丸みを有す表面板２と該表面板２から背面側へ屈曲して突出する上縁４と側縁６を連続して形成している。【選択図】    図２
2019163629.tif 000002
【特許請求の範囲】
【請求項１】
階段の踏板から蹴込板にかけて取付けるＬ型階段用巾木において、踏板上面に配置される横巾木の先端部と、踏板から起立して蹴込板に面して配置される縦巾木の先端部を段鼻役物を介して繋ぎ、該段鼻役物は表面板と表面板から背面側へ屈曲して突出する上縁と側縁を形成したことを特徴とするＬ型階段用巾木。
【請求項２】
上記段鼻役物の形状を概略コ形とし、蹴込板から突出した踏板先端部が嵌るようにした請求項1記載のＬ型階段用巾木。
【請求項３】
上記側縁から表面板との間に空間を残して平行で水平に延びる羽根を設けた請求項1、又は請求項２記載のＬ型階段用巾木。
【請求項４】
上記縦巾木を対を成す2本で構成した請求項1、請求項２、又は請求項３記載のＬ型階段用巾木。
【請求項５】
階段の踏板から蹴込板にかけて取付けるＬ型階段用巾木であって、踏板上面に配置される横巾木の先端部と、踏板から起立して蹴込板に面して配置される縦巾木の先端部を繋ぐことが出来る段鼻役物において、該段鼻役物はコーナーに丸みを有す表面板と該表面板から背面側へ屈曲して突出する上縁と側縁を連続して形成したことを特徴とするＬ型階段用巾木の段鼻役物。
【発明の詳細な説明】
【技術分野】
【０００１】
住宅の階段には、壁と階段とのコーナーに取付けられる階段用巾木、及び階段用巾木を構成する段鼻役物に関するものである。
【背景技術】
【０００２】
巾木とは室内の壁下端であって床面に接する部分に取付ける化粧用横板であり、壁面と床面とのコーナー部分を被覆することが出来る。すなわち、壁面と床面のコーナーに隙間が存在する場合、上記巾木を取付けることで該隙間は被覆されて室内の外観は向上する。
同じように、住宅に階段を設ける場合、この階段と壁面との間にも隙間が存在し、この隙間を被覆する為に、階段用巾木が取付けられる。
【０００３】
ところで、室内の壁と床面コーナーに取付ける巾木は真直ぐな一本の部材であり、取付けは簡単であるが、階段は複数の踏板が一定間隔で傾斜して配列しており、この階段と壁とのコーナーに取付けられる階段用巾木の場合は、一本の部材で構成することは出来ず、その取付け作業は面倒である。
図９は従来の階段用巾木を示す具体例であり、該階段用巾木はＬ型階段巾木Ａと階段巾木Ｂから成り、Ｌ型階段巾木Ａは横巾木（イ）と縦巾木（ロ）とがＬ型に突き合わされ、階段巾木Ｂは上記縦巾木（ロ）と併設される。
【０００４】
図１０は上記図９に示した階段用巾木を階段に取付けた場合を示している。階段は水平な踏板（ハ）と垂直の蹴込板（ニ）とが順次配列した構造と成っていて、上記Ｌ型階段巾木Ａは踏板（ハ）と蹴込板（ニ）に跨って配置される。Ｌ型階段巾木Ａの横巾木（イ）は踏板（ハ）の上に載り、縦巾木（ロ）は蹴込板（ニ）との間に空間を残して平行に配置している。そして、蹴込板（ニ）と縦巾木（ロ）との空間には階段巾木Ｂが嵌っている。
【０００５】
ここで、Ｌ型階段巾木Ａを構成している横巾木（イ）と縦巾木（ロ）の突合せ面は４５°に切断され、その為にＬ型階段巾木Ａは角張ったコーナー（ホ）を有しており、階段の上り下り時にコーナー（ホ）に接触してケガをするといった問題も発生する。
また、突合せ面を正確な４５°に切断する作業は容易でなく、誤差が生じると突合せ面に隙間と成って現れる。横巾木（イ）と縦巾木（ロ）は接着剤にて固定したり、又はタッカーを裏面から打ち込んで固定される。
【０００６】
図１１は従来の階段用巾木を示す他の具体例であり、該Ｌ型階段巾木Ｃは前記図９に示した階段巾木Ａと同じくＬ型を成していて、横巾木（ヘ）と縦巾木（ト）とがＬ型に突き合わされている。ここで、縦巾木（ト）の上端部内側には切欠き部（チ）が形成されていて、図９に示す階段巾木Ｂに相当する部材は用いられない。すなわち、横巾木（ヘ）及び縦巾木（ト）の幅寸法は階段巾木Ａを構成している横巾木（イ）及び縦巾木（ロ）の幅寸法より大きくて２倍と成っている。
【０００７】
図１２は上記図１１に示した階段巾木Ｃを階段に取付けた場合を示している。階段は水平な踏板（ハ）と垂直の蹴込板（ニ）とが順次配列した構造であり、上記Ｌ型階段巾木Ｃは踏板（ハ）と蹴込板（ニ）に跨って配置される。Ｌ型階段巾木Ｃの横巾木（ヘ）は踏板（ハ）の上に載り、縦巾木（ト）は蹴込板（ニ）に当接して配置している。そして、踏板（ハ）の蹴込板（ニ）から突出した突出部（リ）は切欠き部（チ）に嵌っている。
【０００８】
ここで、Ｌ型階段巾木Ｃの場合も、横巾木（ヘ）と縦巾木（ト）の突合せ面は４５°に切断され、その為にＬ型階段巾木Ｃは角張ったコーナー（ホ）を有しており、階段の上り下り時にコーナー（ホ）に接触してケガをするといった問題が発生する。
また、同じく突合せ面を正確な４５°に切断する作業は容易でなく、誤差が生じると突合せ面に隙間と成って現れる。
【０００９】
特開平８−２１０５４号に係る「階段巾木」は、現場で容易に施工出来るように構成している。すなわち、平面が矩形の階段巾木において、この階段巾木本体の表裏面のうち一面とこの階段巾木本体の長手方向の側面のうち一面とに化粧を施し、２分割している。
ところで、この階段巾木の場合も前記図９、図１１に示した場合と同じく角張ったコーナーを有し、横巾木と縦巾木の突合せ面を隙間なく製作することは容易でない。
【００１０】
特開２０１６−２０４９３９号に係る「階段巾木の施工方法」は、施工現場における階段巾木の施工の作業性を向上させることが出来る。
そこで、踏み板及び蹴込み板を有する階段の側方の壁部に、横巾木と縦巾木とからなる階段巾木を、留め接ぎを施して取り付ける際の施工方法である。縦巾木において両端の木口のうち上側をプレカット面とし、下側を現場カット面とし、その現場カット面の切断作業を行う縦巾木切断工程と、横巾木において両端の木口のうち蹴込み板側をプレカット面とし、段鼻側を現場カット面とし、その現場カット面の切断作業を行う横巾木切断工程と、縦巾木の現場カット面の切断後に、当該縦巾木を蹴込み板の前面側に取り付ける縦巾木取付工程と、横巾木の現場カット面の切断後に、当該横巾木を踏み板の上面側に取り付ける横巾木取付工程とを有している。
【００１１】
この階段巾木の場合も前記図９、図１１に示した場合と同じく角張った  コーナーを有し、横巾木と縦巾木の突合せ面を隙間なく製作することは容易でない。
【特許文献１】特開平８−２１０５４号に係る「階段巾木」
【特許文献２】特開２０１６−２０４９３９号に係る「階段巾木の施工方法」
【発明の開示】
【発明が解決しようとする課題】
【００１２】
このように、従来から階段に取付ける階段巾木に関する技術は色々知られている。ところが、横巾木と縦巾木を有すＬ型階段用巾木では横巾木と縦巾木の先端を４５°に切断した突き合わせ面としなくてはならない。その為に角張ったコーナーを有し、該コーナーに足が触れるならばケガをする虞があり、また精確な４５°に切断されていない突き合わせ面には隙間を生じて外観が損なわれる。
本発明が解決しようとする課題はこれら問題点であり、階段用巾木の外観が損なわれることなく、しかも横巾木と縦巾木の先端を４５°に切断加工する必要がなく、手間がかからない作業効率の高いＬ型の階段用巾木を提供する。
【課題を解決するための手段】
【００１３】
本発明に係る階段用巾木は横巾木と縦巾木、及び段鼻役物から構成している。
従来のＬ型階段用巾木の場合、横巾木と縦巾木はその先端を４５°に切断した突き合わせ面を形成し、各巾木の突き合わせ面が突き合わされることで横巾木と縦巾木は垂直を成して全体形状はＬ型と成る。
本発明のＬ型階段用巾木は上記横巾木と縦巾木の先端部が段鼻役物によって垂直を成して繋がれる。その為に先端木口の切り口は４５°でなく垂直としている。
【００１４】
ところで、段鼻役物は概略コ形の表面板を有し、該表面板の上辺と一方側辺には背面側へ突出する縁板を設け、上辺と側辺のコーナーは滑らかに湾曲している。その為に縁板も滑らかに湾曲し、そして、該表面板の縁板を設けていない他方の側辺には切欠き部を形成している。
また、一方側辺に設けた縁板から羽根を水平に設け、羽根は表面板との間に空間を設けて平行に延びている。
踏板に載って配置された横巾木の先端部及び蹴込板に面して垂直に起立する縦巾木の先端部は上記段鼻役物に嵌って係合し、Ｌ型の階段用巾木が構成される。
【発明の効果】
【００１５】
本発明のＬ型階段用巾木は横巾木と縦巾木を有しているが、横巾木と縦巾木はそれぞれ階段の踏板と蹴込板に沿って配置するだけで、Ｌ型に組み付ける必要がない。階段の所定の位置に壁に面して配置固定した横巾木と縦巾木の先端部が上記段鼻役物に嵌って被覆することが出来る。段鼻役物は水平に配置した横巾木の先端部と垂直に配置した縦巾木の先端部をカバーすると共に、段鼻役物のコーナーは滑らかに湾曲していることで外観上は滑らかに繋がれる。
【００１６】
このように、本発明では横巾木と縦巾木の先端を４５°に切断して突き合わせ面を作る必要がなく、Ｌ型階段用巾木を製作する工数は小さくなる。また、コーナーが滑らかに湾曲した段鼻役物を被覆することで、角張ったコーナーはなく、階段の上り下り時に階段用巾木に足が触れてもケガすることはない。
そして、段鼻役物には羽根を設けていて、この羽根が巾木の背面に設けた溝に係止することで、段鼻役物は階段用巾木から外れ落ちることはない。
【図面の簡単な説明】
【００１７】
【図１】本発明のＬ型階段用巾木を構成する段鼻役物を示す実施例。
【図２】本発明のＬ型階段用巾木を階段に取付けた場合。
【図３】本発明のＬ型階段用巾木を構成する各部材で、段鼻役物、横巾木、縦巾木を示している。
【図４】本発明のＬ型階段用巾木を構成する場合で、（ａ）は組み付け前の背面側斜視図と正面側斜視図を表し、（ｂ）は組み付けた状態の背面側斜視図と正面側斜視図を表している。
【図５】Ｌ型階段用巾木を階段の縁に取付けた場合を示している。（ａ）は本発明の段鼻役物１を用いて構成したＬ型階段用巾木であり、（ｂ）は従来のＬ型階段用巾木である。
【図６】本発明に係るＬ型階段用巾木を示す他の実施例。
【図７】本発明のＬ型階段用巾木を構成する各部材で、段鼻役物、横巾木、縦巾木を示している。
【図８】本発明のＬ型階段用巾木を構成する場合で、（ａ）は組み付け前の背面側斜視図と正面側斜視図を表し、（ｂ）は組み付けた状態の背面側斜視図と正面側斜視図を表している。
【図９】従来のＬ型階段用巾木を示す具体例。
【図１０】図8に示す従来のＬ型階段用巾木を階段に取付けた場合。
【図１１】従来のＬ型階段用巾木を示す他の具体例。
【図１２】図１０に示す従来のＬ型階段用巾木を階段に取付けた場合。
【発明を実施するための形態】
【００１８】
図１は本発明に係る段鼻役物１を示す実施例である。この段鼻役物１は横巾木と縦巾木の先端部を被覆して繋ぐことが出来る部材であり、（ａ）は平面図、（ｂ）は正面図、（ｃ）は底面図、（ｄ）は左側面図、（ｅ）は右側面図、（ｆ）は背面図をそれぞれ表している。
該段鼻役物１はその形状を概略コ形をした表面板２を有し、表面板２の上辺３には背面側へ突出する上縁４を設け、また左側辺５にも背面側へ突出する側縁６を設けている。
【００１９】
すなわち、上記表面板２は上辺３と左側辺５は垂直に屈曲した上縁４と側縁６を有している。概略コ形をした段鼻役物１は凹部７を有し、該凹部７は側縁を設けていない右側辺８が開口している。また、背面側には羽根１０が設けられ、該羽根１０は側縁６の先端から右側辺８まで水平に延びている。羽根１０は表面板２との間に所定の空間９を有し、表面板２には背面側へ突出するリブ２０，２０・・・を設けていて、段鼻役物１の強度を高めている。
【００２０】
本発明の階段用巾木は上記図1に示す段鼻役物１を用いて構成される。すなわち、横巾木と縦巾木の先端部に段鼻役物１が取付けられてＬ型階段用巾木を構成することが出来る。
図２は階段にＬ型階段用巾木を取付ける前の状態とＬ型階段用巾木を取付けた状態をそれぞれ表している。階段は一定間隔で踏板１１，１１・・・が水平に配置され、そして、各踏板１１，１１・・・の間には垂直に配置された蹴込板１２，１２・・・が介在している。
【００２１】
蹴込板１２は上段側の踏板１１の先端から下段側の踏板１１の後方端を繋ぎ、一定間隔で配置している各踏板１１，１１・・・の間に蹴込板１２，１２・・・が配置されることで階段が構成されている。
Ｌ型の階段用巾木は、これら踏板１１と蹴込板１２にかけて取付けられて、壁とに間に生じる虞がある隙間を被覆するように構成される。
【００２２】
図３はＬ型階段用巾木を構成する展開図で、各部材を表している。同図の１は上記段鼻役物、１３は横巾木、１４ａ，１４ｂは縦巾木を示し、該Ｌ型階段用巾木は図２に示すように階段の縁に沿って取付けられ、壁との間に隙間が生じないようにしている。上記横巾木１３は踏板１１の上面に配置されると共に壁面に接着などで固定され、２本の縦巾木１４ａ，１４ｂは踏板１１に載って起立すると共に蹴込板１２に面して配置される。そして、壁面に接着などにて固定される。
ここで、踏板１１に配置した横巾木１３の先端は踏板１１からはみ出し、縦巾木１４ａ，１４ｂは下段の踏板１１に載って垂直に起立し、上側踏板下面との間に僅かな隙間を残している。
【００２３】
横巾木１３の先端と縦巾木１４の上端は繋がっておらず、その為に上記図１に示す段鼻役物１を用いて横巾木１３の先端部と縦巾木１４ａ，１４ｂの先端部が繋がれてＬ型を構成する。このように、本発明はそれぞれ別々の横巾木１３と縦巾木１４ａ，１４ｂとは段鼻役物１を間に介在することでＬ型階段巾木が構成される。
図２において、斜線で示す領域１５は横巾木１３の先端部が段鼻役物１に係合する部分であり、領域１６は縦巾木１４ａ，１４ｂの上端部が段鼻役物１に係合する部分である。
【００２４】
段鼻役物１には横巾木１３の先端部が嵌り、また縦巾木１４ａ，１４ｂの上端部が嵌って取付けられるが、段鼻役物１には羽根１０が表面板２との間に空間９を残して平行に延び、この羽根１０は横巾木１３の裏面に設けている溝に嵌って係合することが出来、その為に段鼻役物１は横巾木１３及び縦巾木１４ａ，１４ｂから外れ落ちることはない。
所定の位置に固定されている横巾木１３と縦巾木１４ａ，１４ｂに、図２において左側（踏板の先端側）から段鼻役物１を嵌めることが出来、羽根１０は横巾木１３の背面に設けている溝に嵌入することが出来る。
【００２５】
図４は段鼻役物１を用いて階段用巾木を構成する場合で、（ａ）は組み付け前の背面側斜視図と正面側斜視図を表し、（ｂ）は組み付けた状態の背面側斜視図と正面側斜視図を表している。
同図から明らかなように、横巾木１３と縦巾木１４ａ，１４ｂはその長さが違うだけの同じ材料であり、その為に、必要な長さに切断して横巾木１３と縦巾木１４ａ，１４ｂが製作され、そして、段鼻役物１を用いて繋ぐことで図４（ｂ）に示すＬ型階段用巾木を簡単に製作することが出来る。
【００２６】
図５はＬ型階段用巾木を階段の縁に取付けた場合を示している。（ａ）は本発明の段鼻役物１を用いて構成したＬ型階段用巾木であり、（ｂ）は従来のＬ型階段用巾木である。
図６は本発明に係るＬ型階段用巾木を示す他の実施例である。このＬ型階段用巾木は前記図２に示した実施例と基本的な構造は同じであるが、横巾木と縦巾木の幅寸法が違っている。
【００２７】
横巾木１７は上記横巾木１３に比較して幅寸法は大きく、また縦巾木１８も縦巾木１４ａ，１４ｂに比べてその幅寸法は大きくしている。その為に、縦巾木１８は前記実施例のように２本の縦巾木１４ａ，１４ｂを対にして用いることなく、1本の縦巾木１８にて構成している。その為に、段鼻役物１９の寸法も大きくし、幅広の横巾木１７が嵌るように成っている。
図７はＬ型階段用巾木を構成する展開図で、各部材を表している。同図の１９は上記段鼻役物、１７は横巾木、１８は縦巾木を示し、該Ｌ型階段用巾木は図６に示すように階段の縁に沿って取付けられ、壁との間に隙間が生じないようにしている。
【００２８】
図８は段鼻役物１９を用いて階段用巾木を構成する場合で、（ａ）は組み付け前の背面側斜視図と正面側斜視図を表し、（ｂ）は組み付けた状態の背面側斜視図と正面側斜視図を表している。
この実施例の場合も同図から明らかなように、横巾木１７と縦巾木１８はその長さが違うだけの同じ材料であり、その為に、必要な長さに切断して横巾木１７と縦巾木１８が製作され、そして、段鼻役物１９を用いて繋ぐことで図８に示すＬ型階段用巾木を簡単に製作することが出来る。
【符号の説明】
【００２９】
１   段鼻役物
２   表面板
３   上辺
４   上縁
５   左側辺
６   側縁
７   凹部
８   右側辺
９   空間
10   羽根
11   踏板
12   蹴込板
13   横巾木
14   縦巾木
15   領域
16   領域
17   横巾木
18   縦巾木
19   段鼻役物
20   リブ
【図１】
2019163629.tif 000003
【図２】
2019163629.tif 000004
【図３】
2019163629.tif 000005
【図４】
2019163629.tif 000006
【図５】
2019163629.tif 000007
【図６】
2019163629.tif 000008
【図７】
2019163629.tif 000009
【図８】
2019163629.tif 000010
【図９】
2019163629.tif 000011
【図１０】
2019163629.tif 000012
【図１１】
2019163629.tif 000013
【図１２】
2019163629.tif 000014